【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
種別の異なる複数種のサービス提供システムそれぞれのサービスを利用するためのサービス案内を統合的にモニタ画面に表示する電子サービスガイドシステムにおいて、
前記複数種のサービス提供システムそれぞれについて、そのサービスを案内するために必要な第１のデータとそのサービスの実行を制御するための第２のデータとを統一化した所定の記述形式でそれぞれ記述した複数のサービス情報を蓄積するための記憶手段と、
前記記憶手段に記憶された前記複数のサービス情報内の前記第１のデータに基づき、前記複数種のサービス提供システムそれぞれのサービスの案内をするためのガイダンス画面を表示するガイダンス表示手段であって、前記ガイダンス画面上でのユーザの操作により前記複数種のサービス提供システムの一つが選択された場合、前記選択されたサービス提供システムに関するサービスの一覧を表示するガイダンス表示手段と、
ユーザの操作に応じて、前記サービスの一覧の中から一つのサービスを選択するサービス選択手段と、
前記記憶手段に記憶された前記サービス情報内の前記第２のデータに基づき、前記選択されたサービスを実行するサービス処理手段とを具備することを特徴とする電子サービスガイドシステム。
【請求項２】
前記第２のデータは、前記サービス提供システムのサービスを実行するためのプログラムであり、
前記サービス処理手段は、前記プログラムに基づいて前記選択されたサービスを実行することを特徴とする請求項１記載の電子サービスガイドシステム。
【請求項３】
前記第２のデータは、前記サービス提供システムのサービスを実行するためのプログラムの所在情報であり、
前記サービス処理手段は、前記所在情報に基づいて前記プログラムを取得し、この取得したプログラムに基づいて前記選択されたサービスを実行することを特徴とする請求項１記載の電子サービスガイドシステム。
【請求項４】
前記複数のサービス情報は１以上のサーバに分散して記憶されており、前記１以上のサーバにアクセスすることにより、前記記憶手段に蓄積すべきサービス情報を前記サーバから収集するサービス情報収集手段をさらに具備することを特徴とする請求項１記載の電子サービスガイドシステム。
【請求項５】
前記各サービス情報には有効期限情報が含まれており、前記サービス情報収集手段は前記各サービス情報の有効期限情報に基づき、更新された最新のサービス情報を再収集する手段を含むことを特徴とする請求項４記載の電子サービスガイドシステム。
【請求項６】
前記複数種のサービス提供システムは、そのシステムが提供するサービスに関連する情報から前記サービス情報を変換生成し保持するサーバを有し、このサーバをアクセスすることにより前記サーバから前記記憶手段に蓄積すべきサービス情報を収集するサービス情報収集手段を更に具備することを特徴とする請求項１記載の電子サービスガイドシステム。
【請求項７】
サービスを提供するとともに、前記サービスを案内するために必要な第１のデータとそのサービスの実行を制御するための第２のデータとを統一化した所定の記述形式で記述したサービス情報を持つサーバと、前記サービス情報を前記サーバから取得し、その取得したサービス情報に基づいて前記サービスを案内するためのガイダンス画面を表示するクライアントとを含む電子サービスガイドシステムであって、
前記クライアントは、
提供するサービスの種類が互いに異なる複数のサーバのそれぞれからサービス情報を取得する手段と、
前記取得したサービス情報を蓄積するための記憶手段と、
前記記憶手段に記憶されたサービス情報内の第１のデータに基づき、前記サーバが提供するサービスの案内をするためのガイダンス画面を表示するガイダンス表示手段であって、前記ガイダンス画面上でのユーザの操作により前記複数種のサービス提供システムの一つが選択された場合、前記選択されたサービス提供システムに関するサービスの一覧を表示するガイダンス表示手段と、
ユーザの操作に応じて、前記サービスの一覧の中から一つのサービスを選択するサービス選択手段と、
前記蓄積手段に記憶された前記サービス情報内の前記第２のデータに基づき、前記選択されたサービスを実行するサービス処理手段とを具備することを特徴とする電子サービスガイドシステム。
【請求項８】
所定のサービスを提供するサービス提供システムに対応して設けられ、コンピュータネットワークを介して、前記サービス提供システムを利用するクライアントと通信可能なサーバシステムであって、
前記サービス提供システムについて、そのサービスを案内するために必要な第１のデータとそのサービスの実行を制御するための第２のデータとを統一化した所定の記述形式で記述したサービス情報を記憶するための記憶手段と、
前記クライアントからの要求に応じて、前記サービス情報を前記コンピュータネットワークを介して前記クライアントに提供する手段とを具備することを特徴とするサーバシステム。
【請求項９】
種別の異なる複数種のサービス提供システムそれぞれのサービスを利用するためのサービス案内を統合的に行うための電子サービスガイド方法であって、
前記複数種のサービス提供システムそれぞれについて、そのサービスを案内するために必要な第１のデータとそのサービスの実行を制御するための第２のデータとを統一化した所定の記述形式でそれぞれ記述した複数のサービス情報を取得するステップと、
前記取得した複数のサービス情報内の第１のデータに基づき、前記複数種のサービス提供システムそれぞれのサービスを案内するためのガイダンス画面を表示するガイダンス表示ステップであって、前記ガイダンス画面上でのユーザの操作により前記複数種のサービス提供システムの一つが選択された場合、前記選択されたサービス提供システムに関するサービスの一覧を表示するガイダンス表示ステップと、
ユーザの操作に応じて、前記サービスの一覧の中から一つのサービスを選択するステップと、
前記取得した前記サービス情報内の第２のデータに基づき、前記選択されたサービスを実行するサービス処理ステップとを具備することを特徴とする電子サービスガイド方法。
【請求項１０】
前記サービス情報には、そのサービス情報に対応する前記サービス提供システムのサービスを実行するためのプログラムが含まれており、
前記サービス処理ステップは、前記プログラムに基づいて前記選択されたサービスを実行することを特徴とする請求項９記載の電子サービスガイド方法。
【請求項１１】
前記サービス情報には、前記サービス提供システムのサービスを実行するためのプログラムの所在情報が含まれており、
前記サービス処理ステップは、前記所在情報に基づいて前記プログラムを取得し、この取得したプログラムに基づいて前記選択されたサービスを実行することを特徴とする請求項９記載の電子サービスガイド方法。
【請求項１２】
種別の異なる複数種のサービス提供システムそれぞれのサービスを利用するためのサービス案内を統合的に行うための電子サービスガイド用のコンピュータプログラムが記憶されたコンピュータ読み取り可能な記憶媒体であって、
前記コンピュータプログラムは、
前記複数種のサービス提供システムそれぞれについて、そのサービスを案内するために必要な第１のデータとそのサービスの実行を制御するための第２のデータとを統一化した所定の記述形式でそれぞれ記述した複数のサービス情報を取得する手順と、
前記取得した複数のサービス情報内の第１のデータに基づき、前記複数種のサービス提供システムそれぞれのサービスを案内するためのガイダンス画面を表示するガイダンス表示手順であって、前記ガイダンス画面上でのユーザの操作により前記複数種のサービス提供システムの一つが選択された場合、前記選択されたサービス提供システムに関するサービスの一覧を表示するガイダンス表示手順と、
ユーザの操作に応じて、前記サービスの一覧の中から一つのサービスを選択する手順と、
前記取得したサービス情報内の第２のデータに基づき、前記選択されたサービスを実行するサービス処理手順とをコンピュータに実行させること特徴とするコンピュータ読み取り可能な記憶媒体。
【手続補正２】
【補正対象書類名】明細書
【補正対象項目名】０００７
【補正方法】変更
【補正の内容】
【０００７】
【課題を解決するための手段】
上述の課題を解決するため、本発明は、種別の異なる複数種のサービス提供システムそれぞれのサービスを利用するためのサービス案内を統合的にモニタ画面に表示する電子サービスガイドシステムにおいて、前記複数種のサービス提供システムそれぞれについて、そのサービスを案内するために必要な第１のデータとそのサービスの実行を制御するための第２のデータとを統一化した所定の記述形式でそれぞれ記述した複数のサービス情報を蓄積するための記憶手段と、前記記憶手段に記憶された前記複数のサービス情報内の前記第１のデータに基づき、前記複数種のサービス提供システムそれぞれのサービスの案内をするためのガイダンス画面を表示するガイダンス表示手段であって、前記ガイダンス画面上でのユーザの操作により前記複数種のサービス提供システムの一つが選択された場合、前記選択されたサービス提供システムに関するサービスの一覧を表示するガイダンス表示手段と、ユーザの操作に応じて、前記サービスの一覧の中から一つのサービスを選択するサービス選択手段と、前記記憶手段に記憶された前記サービス情報内の前記第２のデータに基づき、前記選択されたサービスを実行するサービス処理手段とを具備することを特徴とする。
【手続補正３】
【補正対象書類名】明細書
【補正対象項目名】０００９
【補正方法】変更
【補正の内容】
【０００９】
また、ガイダンス画面上でのユーザの操作によりサービス提供システムの一つが選択された場合、選択されたサービス提供システムに関するサービスの一覧が表示され、そしてそのサービスの一覧の中からサービスが選択されると、その選択されたサービスがサービス処理手段によって実行されるので、ユーザは、ガイダンス画面上の統一的な操作でサービス制御を行うことが可能となる。この場合、各サービス情報には、対応するサービス提供システムのサービスを実行するためのプログラムまたはそのプログラムの所在情報を埋め込んでおくことが好ましい。これにより、サービス処理手段は、サービス情報に含まれるプログラムまたは前記所在情報で指定される場所から取得したプログラムを実行することにより、前記各サービス提供システムのサービスを制御することが可能となる。
【手続補正４】
【補正対象書類名】明細書
【補正対象項目名】００１１
【補正方法】変更
【補正の内容】
【００１１】
また、本発明は、サービスを提供するとともに、前記サービスを案内するために必要な第１のデータとそのサービスの実行を制御するための第２のデータとを統一化した所定の記述形式で記述したサービス情報を持つサーバと、前記サービス情報を前記サーバから取得し、その取得したサービス情報に基づいて前記サービスを案内するためのガイダンス画面を表示するクライアントとを含む電子サービスガイドシステムであって、前記クライアントは、提供するサービスの種類が互いに異なる複数のサーバのそれぞれからサービス情報を取得する手段と、前記取得したサービス情報を蓄積するための記憶手段と、前記蓄積手段に記憶されたサービス情報内の第１のデータに基づき、前記サーバが提供するサービスの案内をするためのガイダンス画面を表示するガイダンス表示手段であって、前記ガイダンス画面上でのユーザの操作により前記複数種のサービス提供システムの一つが選択された場合、前記選択されたサービス提供システムに関するサービスの一覧を表示するガイダンス表示手段と、ユーザの操作に応じて、前記サービスの一覧の中から一つのサービスを選択するサービス選択手段と、前記蓄積手段に記憶された前記サービス情報内の前記第２のデータに基づき、前記選択されたサービスを実行するサービス処理手段とを具備することを特徴とする。